(57)【要約】【課題】アクチュエータの焼損を防止可能な過熱防止用アタッチメント、および過熱防止機構付ロック装置を提供すること。【解決手段】過熱防止機構付ロック装置１は、ロック装置３の外部に過熱防止用アタッチメント５を装着した構造になっている。ロック装置３に過熱防止用アタッチメント５を装着して使用する場合、電源側端子Ｔは中継用入力端子１３に接続され、電源入力端子１１は中継用出力端子１５に接続される。これにより、過熱防止用アタッチメント５に内蔵された過熱防止回路１９が、電源側端子Ｔと電源入力端子１１との間に介装される。過熱防止回路１９によってアクチュエータ１７の過熱を検知した場合、電源側端子Ｔと電源入力端子１１との間で、電気的接続が遮断される。【選択図】図１
0003133467.tif 000002
【実用新案登録請求の範囲】
【請求項１】
電源からの電力を供給する電源側端子を接続可能な電源入力端子と、前記電源入力端子を介して前記電源から供給される電力で作動するアクチュエータと、ロック対象となる可動体の移動を阻止するロック状態、または、前記可動体の移動を許容するアンロック状態に切り替え可能で、前記アクチュエータによって前記ロック状態または前記アンロック状態への切り替えが行われるように構成されたロック機構と、少なくとも前記アクチュエータを含む構成部品が内蔵された外装ケースとを備えたロック装置に対し、後付けで装着可能に構成された装置であり、前記ロック装置に装着することによって前記アクチュエータの過熱を防止可能なロック装置の過熱防止用アタッチメントであって、
前記電源側端子が接続される中継用入力端子と、
前記電源入力端子が接続される中継用出力端子と、
前記外装ケースの外部に後付けで取り付け可能なベース部材と、
前記ベース部材に固定されており、前記ベース部材を前記外装ケースの外部に取り付けると前記アクチュエータの過熱を検知可能な位置に配置される感熱部を有し、前記感熱部によって前記アクチュエータの過熱が検知されない状態においては、前記中継用入力端子と前記中継用出力端子とを電気的に接続する一方、前記感熱部によって前記アクチュエータの過熱を検知した際には、前記中継用入力端子と前記中継用出力端子との電気的接続を遮断する過熱防止回路と
を備えることを特徴とするロック装置の過熱防止用アタッチメント。
【請求項２】
前記ベース部材上における前記感熱部の配設位置が、前記ベース部材を前記外装ケースの外部に取り付けた際に、前記外装ケースの内、前記外装ケースの内面と前記アクチュエータの発熱箇所との距離が最短となる部分の外面側に前記感熱部が配置されることになる位置とされている
ことを特徴とする請求項１に記載のロック装置の過熱防止用アタッチメント。
【請求項３】
前記ベース部材は、板状に成形された板状部を有し、
前記板状部は、板厚方向に垂直な面で前記外装ケースの外面に接する構造で、前記板厚方向に貫通する貫通穴が形成された構造とされており、
前記感熱部は、前記貫通穴の一方の開口部から前記貫通穴の内部に入り込んだ状態にあり、前記貫通穴の他方の開口部を塞ぐ位置にある前記外装ケースから前記貫通穴内へと伝わる熱により、前記アクチュエータの過熱を検知する構造とされている
ことを特徴とする請求項１または請求項２に記載のロック装置の過熱防止用アタッチメント。
【請求項４】
前記過熱防止回路は、単一のプリント配線板上に構成され、
前記ベース部材には、前記プリント配線板を嵌め込み可能な凹部が形成され、
前記凹部の底が前記板状部となっていて、前記プリント配線板を前記凹部に嵌め込むことにより、前記ベース部材に対して前記プリント配線板が位置決めされるとともに、前記プリント配線板上にある前記感熱部が、前記貫通穴の一方の開口部から前記貫通穴の内部に入り込んだ状態になる
ことを特徴とする請求項３に記載のロック装置の過熱防止用アタッチメント。
【請求項５】
前記凹部の開口部が、面状シール部材によって封鎖されている
ことを特徴とする請求項４に記載のロック装置の過熱防止用アタッチメント。
【請求項６】
前記面状シール部材が、前記外装ケースに貼付された面状装飾用シールと同一のものとされていて、
前記外装ケースに前記ベース部材を取り付けた際、前記面状装飾用シールは前記ベース部材によって覆い隠されるとともに、前記面状シール部材が外部に露出した状態になる
ことを特徴とする請求項５に記載のロック装置の過熱防止用アタッチメント。
【請求項７】
電源からの電力を供給する電源側端子を接続可能な電源入力端子と、前記電源入力端子を介して前記電源から供給される電力で作動するアクチュエータと、ロック対象となる可動体の移動を阻止するロック状態、または、前記可動体の移動を許容するアンロック状態に切り替え可能で、前記アクチュエータによって前記ロック状態または前記アンロック状態への切り替えが行われるように構成されたロック機構と、少なくとも前記アクチュエータを含む構成部品が内蔵された外装ケースとを備えたロック装置と、
前記ロック装置に対して装着された請求項１〜請求項６のいずれかに記載の過熱防止用アタッチメントと
を備えることを特徴とする過熱防止機構付ロック装置。
【請求項８】
前記ロック機構は、
ワイヤと、
正回転した際に前記ワイヤを巻き取り可能で、巻き取られた状態にある前記ワイヤを引っ張ると逆回転して前記ワイヤを繰り出し可能なリールと、
前記リールの逆回転を阻止するロック位置と阻止しないアンロック位置との間を移動可能に設けられた回転阻止部材と
を備えており、
前記外装ケースが固定構造物に固定されるとともに、前記ワイヤの一端が可動体に対して連結され、前記アクチュエータを制御して前記回転阻止部材を前記ロック位置または前記アンロック位置のいずれか一方から他方へ移動させることができ、前記回転阻止部材を前記ロック位置へと移動させた際には、前記可動体が第１の位置から第２の位置へ移動するのを阻止するロック状態となる一方、前記回転阻止部材を前記アンロック位置へと移動させた際には、前記可動体が第１の位置から第２の位置へ移動するのを許容するアンロック状態に切り替わる
ことを特徴とする請求項７に記載の過熱防止機構付ロック装置。
【請求項９】
電源からの電力を供給する電源側端子を接続可能な電源入力端子と、
前記電源入力端子を介して前記電源から供給される電力で作動するアクチュエータと、
前記アクチュエータの過熱を検知可能な感熱部を有し、前記感熱部によって前記アクチュエータの過熱が検知されない状態においては、前記電源入力端子と前記アクチュエータとを電気的に接続する一方、前記感熱部によって前記アクチュエータの過熱を検知した際には、前記電源入力端子と前記アクチュエータとの電気的接続を遮断する過熱防止回路と、
ロック対象となる可動体の移動を阻止するロック状態、または、前記可動体の移動を許容するアンロック状態に切り替え可能で、前記アクチュエータによって前記ロック状態または前記アンロック状態への切り替えが行われるように構成されたロック機構と
を備えることを特徴とする過熱防止機構付ロック装置。
【考案の詳細な説明】
【技術分野】
【０００１】
本考案は、アクチュエータを内蔵した電動式のロック装置に対して、アクチュエータの過熱を防止するために装着される過熱防止用アタッチメントと、アクチュエータの過熱防止機能を備えた過熱防止機構付ロック装置に関する。
【背景技術】
【０００２】
従来、アクチュエータを内蔵したロック装置として、ワイヤを利用したロック機構によって遊技機の前枠を開放できないようにするものが知られている（例えば、下記特許文献１〜４参照）。
【０００３】
このようなロック装置を遊技機に装着すれば、遊技場の営業時間外に遊技機の前枠を開放することができなくなるので、遊技機の不正改造を防止することができた。また、このようなロック装置を、両替機・玉貸機・メダル貸機などの機器に装着すれば、内部から金銭等が盗まれるのを防止できた。
【特許文献１】特開平１０−０９４６５２号公報
【特許文献２】特開２００３−２９９８６１号公報
【特許文献３】特開２００４−１７３７６１号公報
【特許文献４】特開２００５−２６１５８３号公報
【考案の開示】
【考案が解決しようとする課題】
【０００４】
ところで、遊技場においては、遊技関連機器用の電源として２４Ｖ電源が使用されており、上記のようなロック装置も２４Ｖ電源に接続されることを前提に設計されている。
しかし、遊技場設備の中には、様々な事情から電圧が２４Ｖになっていない電源も混在していることがある。
【０００５】
そのため、上記のようなロック装置を想定以上に電圧が高い電源に接続してしまうと、ロック装置のアクチュエータが長時間にわたって作動し続ける等の悪条件が重なった場合に、アクチュエータが過熱し、アクチュエータの焼損を招くおそれがあった。
【０００６】
本考案は、上記問題を解決するためになされたものであり、その目的は、ロック装置が内蔵するアクチュエータに、想定外の高電圧が長時間にわたって印加されるような異常事態が発生しても、アクチュエータの焼損を防止可能な過熱防止用アタッチメント、および過熱防止機構付ロック装置を提供することにある。
【課題を解決するための手段】
【０００７】
以下、本考案において採用した構成について説明する。
請求項１に記載したロック装置の過熱防止用アタッチメントは、電源からの電力を供給する電源側端子を接続可能な電源入力端子と、前記電源入力端子を介して前記電源から供給される電力で作動するアクチュエータと、ロック対象となる可動体の移動を阻止するロック状態、または、前記可動体の移動を許容するアンロック状態に切り替え可能で、前記アクチュエータによって前記ロック状態または前記アンロック状態への切り替えが行われるように構成されたロック機構と、少なくとも前記アクチュエータを含む構成部品が内蔵された外装ケースとを備えたロック装置に対し、後付けで装着可能に構成された装置であり、前記ロック装置に装着することによって前記アクチュエータの過熱を防止可能なロック装置の過熱防止用アタッチメントであって、前記電源側端子が接続される中継用入力端子と、前記電源入力端子が接続される中継用出力端子と、前記外装ケースの外部に後付けで取り付け可能なベース部材と、前記ベース部材に固定されており、前記ベース部材を前記外装ケースの外部に取り付けると前記アクチュエータの過熱を検知可能な位置に配置される感熱部を有し、前記感熱部によって前記アクチュエータの過熱が検知されない状態においては、前記中継用入力端子と前記中継用出力端子とを電気的に接続する一方、前記感熱部によって前記アクチュエータの過熱を検知した際には、前記中継用入力端子と前記中継用出力端子との電気的接続を遮断する過熱防止回路とを備えることを特徴とする。
【０００８】
請求項２に記載したロック装置の過熱防止用アタッチメントは、請求項１に記載のロック装置の過熱防止用アタッチメントにおいて、前記ベース部材上における前記感熱部の配設位置が、前記ベース部材を前記外装ケースの外部に取り付けた際に、前記外装ケースの内、前記外装ケースの内面と前記アクチュエータの発熱箇所との距離が最短となる部分の外面側に前記感熱部が配置されることになる位置とされていることを特徴とする。
【０００９】
請求項３に記載したロック装置の過熱防止用アタッチメントは、請求項１または請求項２に記載のロック装置の過熱防止用アタッチメントにおいて、前記ベース部材は、板状に成形された板状部を有し、前記板状部は、板厚方向に垂直な面で前記外装ケースの外面に接する構造で、前記板厚方向に貫通する貫通穴が形成された構造とされており、前記感熱部は、前記貫通穴の一方の開口部から前記貫通穴の内部に入り込んだ状態にあり、前記貫通穴の他方の開口部を塞ぐ位置にある前記外装ケースから前記貫通穴内へと伝わる熱により、前記アクチュエータの過熱を検知する構造とされていることを特徴とする。
【００１０】
請求項４に記載したロック装置の過熱防止用アタッチメントは、請求項３に記載のロック装置の過熱防止用アタッチメントにおいて、前記過熱防止回路は、単一のプリント配線板上に構成され、前記ベース部材には、前記プリント配線板を嵌め込み可能な凹部が形成され、前記凹部の底が前記板状部となっていて、前記プリント配線板を前記凹部に嵌め込むことにより、前記ベース部材に対して前記プリント配線板が位置決めされるとともに、前記プリント配線板上にある前記感熱部が、前記貫通穴の一方の開口部から前記貫通穴の内部に入り込んだ状態になることを特徴とする。
【００１１】
請求項５に記載したロック装置の過熱防止用アタッチメントは、請求項４に記載のロック装置の過熱防止用アタッチメントにおいて、前記凹部の開口部が、面状シール部材によって封鎖されていることを特徴とする。
【００１２】
請求項６に記載したロック装置の過熱防止用アタッチメントは、請求項５に記載のロック装置の過熱防止用アタッチメントにおいて、前記面状シール部材が、前記外装ケースに貼付された面状装飾用シールと同一のものとされていて、前記外装ケースに前記ベース部材を取り付けた際、前記面状装飾用シールは前記ベース部材によって覆い隠されるとともに、前記面状シール部材が外部に露出した状態になることを特徴とする。
【００１３】
請求項７に記載した過熱防止機構付ロック装置は、電源からの電力を供給する電源側端子を接続可能な電源入力端子と、前記電源入力端子を介して前記電源から供給される電力で作動するアクチュエータと、ロック対象となる可動体の移動を阻止するロック状態、または、前記可動体の移動を許容するアンロック状態に切り替え可能で、前記アクチュエータによって前記ロック状態または前記アンロック状態への切り替えが行われるように構成されたロック機構と、少なくとも前記アクチュエータを含む構成部品が内蔵された外装ケースとを備えたロック装置と、前記ロック装置に対して装着された請求項１〜請求項６のいずれかに記載の過熱防止用アタッチメントとを備えることを特徴とする。
【００１４】
請求項８に記載した過熱防止機構付ロック装置は、請求項７に記載の過熱防止機構付ロック装置において、前記ロック機構は、ワイヤと、正回転した際に前記ワイヤを巻き取り可能で、巻き取られた状態にある前記ワイヤを引っ張ると逆回転して前記ワイヤを繰り出し可能なリールと、前記リールの逆回転を阻止するロック位置と阻止しないアンロック位置との間を移動可能に設けられた回転阻止部材とを備えており、前記外装ケースが固定構造物に固定されるとともに、前記ワイヤの一端が可動体に対して連結され、前記アクチュエータを制御して前記回転阻止部材を前記ロック位置または前記アンロック位置のいずれか一方から他方へ移動させることができ、前記回転阻止部材を前記ロック位置へと移動させた際には、前記可動体が第１の位置から第２の位置へ移動するのを阻止するロック状態となる一方、前記回転阻止部材を前記アンロック位置へと移動させた際には、前記可動体が第１の位置から第２の位置へ移動するのを許容するアンロック状態に切り替わることを特徴とする。
【００１５】
請求項９に記載した過熱防止機構付ロック装置は、電源からの電力を供給する電源側端子を接続可能な電源入力端子と、前記電源入力端子を介して前記電源から供給される電力で作動するアクチュエータと、前記アクチュエータの過熱を検知可能な感熱部を有し、前記感熱部によって前記アクチュエータの過熱が検知されない状態においては、前記電源入力端子と前記アクチュエータとを電気的に接続する一方、前記感熱部によって前記アクチュエータの過熱を検知した際には、前記電源入力端子と前記アクチュエータとの電気的接続を遮断する過熱防止回路と、ロック対象となる可動体の移動を阻止するロック状態、または、前記可動体の移動を許容するアンロック状態に切り替え可能で、前記アクチュエータによって前記ロック状態または前記アンロック状態への切り替えが行われるように構成されたロック機構とを備えることを特徴とする。
【００１６】
以下、本考案の作用、効果について説明する。
請求項１に記載したロック装置の過熱防止用アタッチメントにおいて、中継用入力端子には電源側端子が接続され、中継用出力端子には電源入力端子が接続される。そして、ベース部材は、ロック装置の外装ケースの外部に取り付けられ、これにより、感熱部がアクチュエータの過熱を検知可能な位置に配置される。
【００１７】
この状態でロック装置を使用すれば、万一、アクチュエータに想定外の高電圧が長時間にわたって印加されるような異常事態が発生しても、その場合は、アクチュエータの過熱が感熱部で検知され、電源とアクチュエータとの電気的接続が遮断される。したがって、アクチュエータの過熱が長時間にわたって継続することはなく、アクチュエータの焼損を防止することができる。
【００１８】
また、この過熱防止用アタッチメントは、ロック装置の外部から後付けで装着することができるので、既に市販されて利用されているロック装置に対して、追加装着することができる。
【００１９】
しかも、この過熱防止用アタッチメントは、ロック装置内におけるアクチュエータの配設位置を考慮して、ベース部材上での感熱部の配設位置を最適化することにより、感熱部は、ベース部材を外装ケースの外部に取り付けるとアクチュエータの過熱を検知可能な位置に配置される構造としてある。
【００２０】
したがって、例えば、ロック装置を分解して、ロック装置の内部に感熱部を設けるような手間をかけなくても、過熱防止用アタッチメントをロック装置の外装ケースに装着するだけで、きわめて簡単にアクチュエータの過熱を検知できるようになる。
【００２１】
請求項２に記載したロック装置の過熱防止用アタッチメントは、外装ケースの内、外装ケースの内面とアクチュエータの発熱箇所との距離が最短となる部分の外面側に感熱部が配置されるので、他の箇所に感熱部を配置したものに比べ、きわめて敏感にアクチュエータの過熱を検知できる。
【００２２】
請求項３に記載したロック装置の過熱防止用アタッチメントは、感熱部が貫通穴の内面に囲まれた空間内に閉じ込められるとともに、貫通穴の他方の開口部を塞ぐ位置にある外装ケースから感熱部に熱が伝わる構成になっている。
【００２３】
そのため、上記貫通穴内面相当物が存在しない開放された空間に感熱部が配置されているものに比べ、アクチュエータの過熱時には、感熱部が加熱されやすく放熱しにくくなり、開放された空間に配置された感熱部よりも、敏感にアクチュエータの過熱を検知できるようになる。
【００２４】
請求項４に記載したロック装置の過熱防止用アタッチメントは、プリント配線板が凹部の開口側を塞ぐ蓋として機能するので、貫通穴の一方の開口部付近は、プリント配線板と凹部の内面に囲まれた空間内に閉じ込められることになる。したがって、貫通穴の一方の開口部から逃げた熱が凹部内に籠もりやすくなり、その結果、感熱部が放熱しにくくなるので、さらに敏感にアクチュエータの過熱を検知できるようになる。
【００２５】
また、請求項４に記載したロック装置の過熱防止用アタッチメントは、プリント配線板を凹部に嵌め込むと、ベース部材に対してプリント配線板が位置決めされるとともに、プリント配線板上にある感熱部が、貫通穴の一方の開口部に入り込む位置に位置決めされる。
【００２６】
したがって、感熱部が比較的小さい部品で構成されていたり、手作業では保持しにくい部品で構成されているような場合でも、感熱部よりも大きい部品であるプリント配線板を凹部へ嵌め込めば、感熱部を最適な位置に組み込むことができる。よって、本考案の過熱防止用アタッチメントを組み立てるに当たって、その作業性が向上する。
【００２７】
請求項５に記載したロック装置の過熱防止用アタッチメントは、凹部の開口部が、面状シール部材によって封鎖されているので、凹部の開口部は、先に説明したプリント配線板に加え、面状シール部材によっても封鎖され、これら二重の断熱壁によって熱が凹部内に籠もりやすい構造とされる。したがって、凹部の開口部が面状シール部材によって封鎖されていないものに比べ、さらに敏感にアクチュエータの過熱を検知できるようになる。
【００２８】
請求項６に記載したロック装置の過熱防止用アタッチメントは、面状シール部材が、ロック装置の外装ケースに貼付された面状装飾用シールと同一のものとされていて、外装ケースにベース部材を取り付けた際には、面状装飾用シールはベース部材によって覆い隠され、面状シール部材が外部に露出した状態になる。したがって、ロック装置の見映えを過熱防止用アタッチメントの装着前後でよく似たものとすることができ、過熱防止用アタッチメントを後付けしたことが原因で、必要以上に美観を損ねるようなことがない。
【００２９】
請求項７に記載した過熱防止機構付ロック装置は、請求項１〜請求項６のいずれかに記載の過熱防止用アタッチメントが装着されているので、上記各請求項に記載の過熱防止用アタッチメントについて述べた通りの作用、効果を奏するロック装置となる。したがって、ロック装置が内蔵するアクチュエータに、想定外の高電圧が長時間にわたって印加されるような異常事態が発生しても、アクチュエータの焼損を防止することができる。
【００３０】
このような過熱防止機構付ロック装置のより具体的な構成としては、例えば、請求項８に記載の如き構成を採用したものを考え得る。
また、請求項７に記載の如き過熱防止機構付ロック装置は、請求項９に記載の如き構成を備えた過熱防止機構付ロック装置として把握することもできる。すなわち、このような過熱防止機構付ロック装置であれば、内蔵するアクチュエータに、想定外の高電圧が長時間にわたって印加されるような異常事態が発生しても、アクチュエータの焼損を防止することができる。
【考案を実施するための最良の形態】
【００３１】
次に、本考案の実施形態について、具体的な例を挙げて説明する。
（１）第１実施形態
［過熱防止機構付ロック装置の概略構造］
図１（ａ）は過熱防止機構付ロック装置の平面図、同図（ｂ）は過熱防止機構付ロック装置の正面図である。また、図２は過熱防止機構付ロック装置の組み立て図である。
【００３２】
図１（ａ）、同図（ｂ）、および図２に示すように、過熱防止機構付ロック装置１は、ロック装置３の外部に過熱防止用アタッチメント５を装着した構造になっている。このロック装置３は、過熱防止用アタッチメント５を装着しない状態であっても、ロック機能だけであれば単体で利用可能な装置であるが、過熱防止用アタッチメント５を装着することによって過熱防止機能を付加できるものとなっている。
【００３３】
より詳しくは、ロック装置３は、電源入力端子１１を備えており、過熱防止用アタッチメント５は、中継用入力端子１３および中継用出力端子１５を備えている。
電源入力端子１１は、元々は、電源からの電力を供給する電源側端子Ｔに接続可能な端子で、ロック装置３を単体で使用する場合に、ロック装置３が内蔵するアクチュエータ１７（本実施形態においてはソレノイド）に対して電力を供給するために用意されたものである。
【００３４】
一方、中継用入力端子１３は、電源入力端子１１と同型の端子とされていて、上述の電源側端子Ｔを接続することができる。また、中継用出力端子１５は、電源側端子Ｔと同型の端子とされていて、上述の電源入力端子１１を接続することができる。
【００３５】
ロック装置３に過熱防止用アタッチメント５を装着して使用する場合、上述の電源側端子Ｔは中継用入力端子１３に接続され、上述の電源入力端子１１は中継用出力端子１５に接続される。これにより、過熱防止用アタッチメント５に内蔵された過熱防止回路１９が、電源側端子Ｔと電源入力端子１１との間に介装されることになる。
【００３６】
［ロック装置の構造］
次に、ロック装置３の構造について、さらに詳しく説明する。
ロック装置３は、特許文献１，２に記載の装置同様、プラスチック製の外装ケース２１と、外装ケース２１から引き出されたワイヤ２３と、ワイヤ２３の先端に連結された固定具２５とを備えている。
【００３７】
これらの内、外装ケース２１は、何らかの固定構造物（図示略；例えば、遊技機が配設された遊技島側の構造物）に対して取り付け金具等を使って固定される。また、固定具２５は、ロック対象となる可動体（図示略；例えば、遊技機の前枠）に対してねじ止め等によって固定される。
【００３８】
図３（ａ）〜同図（ｃ）は、ロック装置３の内部構造図である。なお、図３においては、電源入力端子１１の図示を省略してある。
外装ケース２１の内部は、隔壁２７によって２室に仕切られ、隔壁２７よりも正面側の１室（図３に示す方向から見て隔壁２７よりも手前側に存在する１室）には、上述したアクチュエータ１７が配設されている。
【００３９】
アクチュエータ１７は、プランジャ３１およびコイルスプリング３３を備えたソレノイドである。このアクチュエータ１７は、通電時にはコイルスプリング３３を圧縮する方向（図３（ａ）中の矢印Ａ１方向）へプランジャ３１を移動させる構造になっている。また、通電が停止されると、プランジャ３１がコイルスプリング３３の力で元の位置に復帰する構造になっている。
【００４０】
プランジャ３１には、スライダ３５が取り付けられている。スライダ３５は、外装ケース２１ないし隔壁２７上に形成されたリブ（図示略）に規制されてスライド動作可能に保持され、プランジャ３１が動作した際には、プランジャ３１とともにスライド動作するようになっている。
【００４１】
このスライダ３５には、スライダ３５から背面側（図３に示す方向から見て奥行き方向）に向かって突出するピン３７が固定されている。このピン３７は、隔壁２７に形成された長穴３９に通されて、隔壁２７よりも背面側の１室（図３に示す方向から見て隔壁２７よりも奥側に存在する１室）内へ突出している。
【００４２】
また、隔壁２７よりも背面側の１室には、図３（ｃ）に示すように、順逆両方向に回転可能なリール４１と、リール４１の中央部に組み込まれたゼンマイバネ４３と、リール４１に固定されてリール４１とともに回転する爪車４５が組み込まれている。
【００４３】
リール４１は、軸４７を中心に回転可能で、外周部にワイヤ２３の一端が連結されていて、順方向（図３（ｃ）中の矢印Ｃ１方向）へ回転した際に、ワイヤ２３を巻き取ることにより、ワイヤ２３を図３（Ｃ）中の矢印Ｃ１方向へ引っ張るようになっている。また、ワイヤ２３が図３（ｃ）中の矢印Ｃ２方向へ引っ張られた際には、逆方向（図３（ｃ）中の矢印Ｂ２方向）へ回転することにより、巻き取っていたワイヤ２３を繰り出すようになっている。
【００４４】
ゼンマイバネ４３は、内側にある一端が軸４７に固定されるとともに、外側にある一端がリール４１に固定され、いくらか締まる方向へ変形した状態で組み込まれることにより、常にリール４１を順方向に回転させるように付勢している。ワイヤ２３が図３（ｃ）中の矢印Ｃ２方向へ引っ張られた際には、ゼンマイバネ４３の付勢力に逆らってリール４１が逆方向へ回転し、ゼンマイバネ４３がさらに締まるため、ワイヤ２３を引っ張り出す方向への力をゆるめると、ゼンマイバネ４３の力でリール４１が順方向へ回転し、ワイヤ２３がリール４１に巻き取られる。
【００４５】
爪車４５は、リール４１が逆方向へ回転するのを阻止する役割を果たしている。より詳しくは、アクチュエータ１７が非励磁状態の時、スライダ３５は、図３（ａ）に示した状態にある。このとき、ピン３７は、コイルスプリング３３の力で爪車４５に当接した状態になっている。ただし、爪車４５とピン３７は周知のラチェット機構を構成しているため、ピン３７は、爪車４５の逆方向への回転は阻止するものの、爪車４５の順方向への回転は阻止しない状態になっている。なお、以下の説明では、この状態をロック状態という。
【００４６】
一方、アクチュエータ１７が励磁状態の時、アクチュエータ１７のプランジャ３１はコイルスプリング３３の付勢力に抗して変位する。このとき、スライダ３５およびピン３７も移動する。そのため、ピン３７は、爪車４５の回転をまったく阻止しない状態になる。なお、以下の説明では、この状態をアンロック状態という。
【００４７】
このような構造により、ロック装置３は、ロック状態になるとワイヤ２３が繰り出されない状態となるので、ワイヤ２３が連結された可動体の移動を阻止することができる。また、アンロック状態になるとワイヤ２３が繰り出される状態となるので、ワイヤ２３が連結された可動体の移動を許容することができる。
【００４８】
［過熱防止用アタッチメントの構造］
次に、過熱防止用アタッチメント５の構造について、さらに詳しく説明する。
図４（ａ）は、過熱防止用アタッチメント５の平面図、同図（ｂ）は、過熱防止用アタッチメント５のＡ−Ａ線断面図、同図（ｃ）は、過熱防止用アタッチメント５のＡ−Ａ線断面での分解図である。なお、図４においては、中継用入力端子１３および中継用出力端子１５の図示を省略してある。
【００４９】
過熱防止用アタッチメント５は、外装ケース２１の外部に後付けで取り付け可能なベース部材５１と、ベース部材５１に固定された過熱防止回路１９と、ベース部材５１に貼着された面状シール部材５５などを備えている。過熱防止回路１９は、プリント配線板５６と、プリント配線板５６上に実装されたサーモスタット５７、抵抗器５９等によって構成されている。
【００５０】
図５（ａ）は、ベース部材５１の平面図、同図（ｂ）は、ベース部材５１の底面図、図６（ａ）は、ベース部材５１のＢ−Ｂ線断面図、同図（ｂ）は、ベース部材５１のＣ−Ｃ線断面図、同図（ｃ）は、ベース部材５１のＤ−Ｄ線断面図である。
【００５１】
ベース部材５１は、プラスチック製の成形品で、過熱防止回路１９を嵌め込むための凹部６１（図５（ｂ）および図６（ａ）参照）を有し、この凹部６１に過熱防止回路１９を嵌め込んで、位置決めできるようになっている（図４（ｂ）参照）。
【００５２】
凹部６１の底をなす板状部６３は、板厚方向に垂直な面６３ａ（図５（ｂ）および図６（ａ）参照）で外装ケース２１の外面に接する部分となっていて、板状部６３には、第１貫通穴６５、第２貫通穴６７、第３貫通穴６９が形成されている（図５（ａ）および同図（ｂ）参照）。また、板状部６３には、突起７１が形成され、この突起７１を利用して過熱防止回路１９を固定できるようになっている。
【００５３】
また、ベース部材５１は、両面テープを貼着するための貼着面７３を有し、この貼着面７３に貼着された両面テープＳを介して外装ケース２１に固定されるようになっている。貼着面７３の裏側には、リブ７５によって８つに区画された凹部７７が形成されている。
【００５４】
また、過熱防止回路１９において、サーモスタット５７は、本発明でいう感熱部として機能するものである。このサーモスタット５７は、感熱部として機能させることができるものであれば、サーミスターを利用したもの、バイメタルを利用したものなど、どのようなサーモスタットを採用してもよい。また、感熱部として機能させることができるものであれば、サーモスタットの代わりに、温度ヒューズを採用してもよい。
【００５５】
サーモスタット５７が配置される位置は、外装ケース２１の内、外装ケース２１の内面とアクチュエータ１７の発熱箇所との距離が最短となる部分の外面側となっている（図１（ａ）参照）。
【００５６】
また、サーモスタット５７は、第１貫通穴６５の一方の開口部から第１貫通穴６５の内部に入り込んだ状態にあり、第１貫通穴の他方の開口部を塞ぐ位置にある外装ケース２１から第１貫通穴６５内へと伝わる熱により、アクチュエータ１７の過熱を検知する構造とされている。
【００５７】
なお、サーモスタット５７を上述の如く第１貫通穴６５内へ配置する都合上、板状部６３には第２貫通穴６７も形成してあり、この第２貫通穴６７に抵抗器５９が入り込んだ状態になっている。つまり、第１貫通穴６５は、サーモスタット５７の感度を向上させるために設けられたものであるが、第２貫通穴６７は、抵抗器５９を逃がすために形成されたものである。
【００５８】
また、第３貫通穴６９は、過熱防止回路１９をベース部材５１に対して容易に取り付けることができるようにするために設けてある。具体的には、過熱防止回路１９をベース部材５１に対して取り付ける際には、図７（ａ）に示すように、まず、過熱防止回路１９が第３貫通穴６９に通される。
【００５９】
そして、図７（ｂ）に示すように、過熱防止回路１９を凹部６１に向かって９０度倒すようなかたちで、過熱防止回路１９を凹部６１に嵌め込む。後は、図７（ｃ）に示すように、面状シール部材５５をベース部材５１に貼着して、凹部６１の開口部を面状シール部材５５によって封鎖する。
【００６０】
このような取り付け構造によって過熱防止回路１９を取り付ければ、過熱防止回路１９から延びるリード線７９を第３貫通穴６９から逃がすに当たって、中継用入力端子１３および中継用出力端子１５を、第３貫通穴６９に通さなくてもよいので、作業性が良好になる。
【００６１】
また、このような取り付け構造であれば、プリント配線板５６が凹部６１の開口側を塞ぐ蓋として機能するので、第１貫通穴６５の一方の開口部付近は、プリント配線板５６と凹部６１の内面に囲まれた空間内に閉じ込められることになる。しかも、凹部６１の開口側は、面状シール部材５５によっても封鎖されているので、プリント配線板５６および面状シール部材５５からなる二重の断熱壁が構成されることになる。
【００６２】
したがって、第１貫通穴６５の一方の開口部から逃げた熱は、凹部６１内に籠もりやすくなり、その結果、サーモスタット５７が放熱しにくくなるので、敏感にアクチュエータ１７の過熱を検知できるようになる。
【００６３】
さらに、面状シール部材５５は、ロック装置３の外装ケース２１に貼付された面状装飾用シールと同一のものとされている。外装ケース２１にベース部材５１を取り付けた際、ロック装置３の外装ケース２１に貼付された面状装飾用シールはベース部材５１によって覆い隠されるが、ほぼ同じ位置において面状シール部材５５が外部に露出した状態になるので、ロック装置３の見映えは、過熱防止用アタッチメント５の装着前後でほとんど変わらないものとなる。
【００６４】
［第１実施形態の効果］
以上のように構成された過熱防止機構付ロック装置１によれば、万一、アクチュエータ１７に想定外の高電圧が長時間にわたって印加されるような異常事態が発生しても、その場合は、アクチュエータ１７の過熱がサーモスタット５７で検知され、電源とアクチュエータ１７との電気的接続が遮断される。したがって、アクチュエータ１７の過熱が長時間にわたって継続することはなく、アクチュエータ１７の焼損を防止することができる。
【００６５】
また、過熱防止用アタッチメント５は、ロック装置３の外部から後付けで装着することができるので、既に市販されて利用されているロック装置３に対して、追加装着することができる。
【００６６】
しかも、この過熱防止用アタッチメント５は、ロック装置３内におけるアクチュエータ１７の配設位置を考慮して、ベース部材５１上でのサーモスタット５７の配設位置を最適化してあるので、サーモスタット５７は、ベース部材５１を外装ケース２１の外部に取り付けるだけで、アクチュエータ１７の過熱を検知可能な位置に配置される。
【００６７】
したがって、例えば、ロック装置３を分解して、ロック装置３の内部にサーモスタット５７を設けるような手間をかけなくても、過熱防止用アタッチメント５をロック装置３の外装ケース２１に装着するだけで、きわめて簡単にアクチュエータ１７の過熱を検知できるようになる。
【００６８】
また、過熱防止用アタッチメント５は、プリント配線板５６を凹部６１に嵌め込むと、ベース部材５１に対してプリント配線板５６が位置決めされるとともに、プリント配線板５６上にあるサーモスタット５７が、第１貫通穴６５の一方の開口部に入り込む位置に位置決めされる。
【００６９】
したがって、サーモスタット５７が比較的小さい部品で構成されていたり、手作業では保持しにくい部品で構成されているような場合でも、サーモスタット５７よりも大きい部品であるプリント配線板５６を凹部６１へ嵌め込めば、サーモスタット５７を最適な位置に組み込むことができる。よって、過熱防止用アタッチメント５を組み立てるに当たって、その作業性が向上する。
（２）第２実施形態
次に、第２実施形態について説明する。なお、第２実施形態以降は、第１実施形態との相違点を中心に説明し、第１実施形態と同様な構成についての説明は省略する。
【００７０】
図８（ａ）は過熱防止機構付ロック装置の平面図、同図（ｂ）は過熱防止機構付ロック装置の正面図である。
図８（ａ）、および同図（ｂ）に示すように、過熱防止機構付ロック装置８１は、ロック装置８３の外部に過熱防止用アタッチメント５を装着した構造になっている。この過熱防止機構付ロック装置８１において、過熱防止用アタッチメント５は、第１実施形態と全く同様に構成されたものである。
【００７１】
一方、ロック装置８３は、特許文献３，４に記載の装置同様、第１実施形態で示したワイヤ２３が、さらにチューブ８５に通された構造になっているものである。これ以外のロック装置８３の構成は、第１実施形態と同様である。
【００７２】
このように構成された過熱防止機構付ロック装置８１は、特許文献３，４に記載の装置同様、第１実施形態のものよりも固定箇所を選定する際に自由度が高くなる。また、第１実施形態のもの同様、アクチュエータ１７に想定外の高電圧が長時間にわたって印加されるような異常事態が発生しても、アクチュエータ１７の焼損を防止することができる。
（３）第３実施形態
次に、第３実施形態について説明する。
【００７３】
図９（ａ）は過熱防止機構付ロック装置の平面図、同図（ｂ）は過熱防止機構付ロック装置の正面図、同図（ｃ）は過熱防止機構付ロック装置の右側面図である。
図９（ａ）〜同図（ｃ）に示すように、過熱防止機構付ロック装置９１は、ロック装置３の外部に過熱防止用アタッチメント９５を装着した構造になっている。この過熱防止機構付ロック装置９１において、ロック装置３は、第１実施形態と全く同様に構成されたものである。
【００７４】
一方、過熱防止用アタッチメント９５は、第１実施形態よりも簡素な構造のものであり、具体的には、Ｌ字型ブラケット９７と、感熱部９９とを備えるものとなっている。感熱部９９は、サーモスタットあるいは温度ヒューズによって構成される。
【００７５】
なお、中継用入力端子１３および中継用出力端子１５を備える点は、第１実施形態と同様であり、ロック装置３や電源側端子Ｔとの接続方法も、第１実施形態と同様である。
このように構成された過熱防止機構付ロック装置９１でも、第１実施形態のもの同様、アクチュエータ１７に想定外の高電圧が長時間にわたって印加されるような異常事態が発生しても、アクチュエータ１７の焼損を防止することができる。
【００７６】
ただし、第１実施形態のものと比べると、アクチュエータ１７からの熱が感熱部９９の周囲において逃げやすいので、第１実施形態と同程度の感度を確保するには、感熱部９９そのものの感度を高くする必要がある。
【００７７】
したがって、比較的感度の低い感熱素子を採用する場合には、第１実施形態のものが好ましく、逆に、感熱素子の感度を十分に確保できるのであれば、第３実施形態の如く簡素な構成とすることにより、コストダウンを図ることも可能となる。
【００７８】
以上、本考案の実施形態について説明したが、本考案は上記の具体的な一実施形態に限定されず、この他にも種々の形態で実施することができる。
【図面の簡単な説明】
【００７９】
【図１】第１実施形態の過熱防止機構付ロック装置を示す図であり、（ａ）はその平面図、（ｂ）はその正面図。
【図２】第１実施形態の過熱防止機構付ロック装置の組み立て図。
【図３】ロック装置の内部構造図。
【図４】（ａ）は過熱防止用アタッチメントの平面図、（ｂ）は過熱防止用アタッチメントのＡ−Ａ線断面図、（ｃ）は過熱防止用アタッチメントのＡ−Ａ線断面での分解図。
【図５】（ａ）はベース部材の平面図、（ｂ）はベース部材の底面図。
【図６】（ａ）はベース部材のＢ−Ｂ線断面図、（ｂ）はベース部材のＣ−Ｃ線断面図、（ｃ）はベース部材のＤ−Ｄ線断面図。
【図７】過熱防止回路のベース部材への取り付け手順を示す説明図。
【図８】第２実施形態の過熱防止機構付ロック装置を示す図であり、（ａ）はその平面図、（ｂ）はその正面図。
【図９】第３実施形態の過熱防止機構付ロック装置を示す図であり、（ａ）はその平面図、（ｂ）はその正面図、（ｃ）はその右側面図。
【符号の説明】
【００８０】
１，８１，９１・・・過熱防止機構付ロック装置、３，８３・・・ロック装置、５，９５・・・過熱防止用アタッチメント、１１・・・電源入力端子、１３・・・中継用入力端子、１５・・・中継用出力端子、１７・・・アクチュエータ、１９・・・過熱防止回路、２１・・・外装ケース、２３・・・ワイヤ、２５・・・固定具、２７・・・隔壁、３１・・・プランジャ、３３・・・コイルスプリング、３５・・・スライダ、３７・・・ピン、３９・・・長穴、４１・・・リール、４３・・・ゼンマイバネ、４５・・・爪車、４７・・・軸、５１・・・ベース部材、５５・・・面状シール部材、５６・・・プリント配線板、５７・・・サーモスタット、５９・・・抵抗器、６１・・・凹部、６３・・・板状部、６５・・・第１貫通穴、６７・・・第２貫通穴、６９・・・第３貫通穴、７１・・・突起、７３・・・貼着面、７５・・・リブ、７７・・・凹部、７９・・・リード線、８５・・・チューブ、９７・・・Ｌ字型ブラケット、９９・・・感熱部。
【図１】
0003133467.tif 000003
【図２】
0003133467.tif 000004
【図３】
0003133467.tif 000005
【図４】
0003133467.tif 000006
【図５】
0003133467.tif 000007
【図６】
0003133467.tif 000008
【図７】
0003133467.tif 000009
【図８】
0003133467.tif 000010
【図９】
0003133467.tif 000011